(57)【要約】【課題】商業用洗面所などに設けることができるようなシンクにおける手乾燥装置を提供すること。【解決手段】ユーザの手の各々に対して１つ又はそれ以上の複数の手乾燥器ノズルを備えた手乾燥器。左手の手乾燥器ノズルは、ユーザの左手が左手ノズルの正面で掌を開いたときにユーザの左手の幅にわたって延びるように配置され、右手の手乾燥器ノズルは、ユーザの右手が右手ノズルの正面で掌を開いたときにユーザの右手の幅にわたって延びるように配置される。左手ノズルは、第１の空気供給ダクトの壁に沿って軸方向に延び、右手ノズルが第２の空気供給ダクトの壁に沿って軸方向に同様に延びている。供給ダクトの各々は、ダクトを通して軸方向の空気流を通過させるようモータ駆動ファンと共に使用してユーザのそれぞれの親指付近の端部である入口端部にて連通する。【選択図】図１３
2012239920.tif 000002
【特許請求の範囲】
【請求項１】
ユーザの手の各々に対して１つ又はそれ以上の、複数の手乾燥器ノズルを備えた手乾燥器であって、左手の前記手乾燥器ノズルは、ユーザの左手が前記左手ノズルの前で掌を開いたときにユーザの左手の幅にわたって延びるように配置され、右手の前記手乾燥器ノズルは、ユーザの右手が前記右手ノズルの前で掌を開いたときにユーザの右手の幅にわたって延びるように配置され、前記左手ノズルは、第１の空気供給ダクトの壁に沿って軸方向に延び、前記右手ノズルは、第２の空気供給ダクトの壁に沿って軸方向に延びており、前記供給ダクトの各々は、使用時にユーザのそれぞれの親指付近の端部である入口端部において、前記ダクトを通して軸方向の空気流を通過させるモータ駆動ファンと連通する、手乾燥器。
【請求項２】
前記供給ダクトの断面積は、該供給ダクトの長さに沿ってほぼ一定であり、その結果として前記供給ダクトの長さに沿ったノズル出口速度の漸次的直線化がもたらされ、或いは、前記供給ダクトを通る軸方向流れ速度を対応して漸次的に低下させることによって前記ノズル出口速度のこのような直線化を依然として確保するように可変である、請求項１に記載の手乾燥器。
【請求項３】
前記ダクトの断面積は、前記供給ダクトの長さに沿ってテーパ付けられている、請求項１に記載の手乾燥器。
【請求項４】
前記供給ダクトは、実質的に円筒形である、請求項２に記載の手乾燥器。
【請求項５】
前記供給ダクトは、前記手乾燥器の外側部分を形成する、請求項１から４の何れかに記載の手乾燥器。
【請求項６】
前記手乾燥器は、１００ｍ／ｓを上回る出口速度で前記ノズルを通して空気流を送り込むよう構成されるモータ駆動ファンを備える、請求項１から５の何れかに記載の手乾燥器。
【発明の詳細な説明】
【技術分野】
【０００１】
本発明は、一般に、手乾燥器の分野に関し、より詳細には、限定ではないが、商業用洗面所などに設けることができるようなシンクにおける手乾燥装置に関する。
【背景技術】
【０００２】
洗面所では、洗浄するための１つ又はそれ以上のシンク又は手洗器と、ユーザが手を乾燥させることができる１つ又はそれ以上の別個の壁掛け式手乾燥器とが設けられているのが一般的である。
【０００３】
図１は、壁掛け式手乾燥器１の一種を示しており、Ｄｙｓｏｎ  Ａｉｒｂｌａｄｅ（登録商標）手乾燥器シリーズの一部として、モデル名ＡＢ０１で現在市販されている。手乾燥器１は、モータ駆動ファンを用いて対向するペアの狭いスリット状ノズル２，３（各々が１ｍｍ幅未満）を通じて高圧で空気を送り込むことにより機能する。これは、ユーザの手を対向するノズル２、３の間で掌を平らにした状態で「くぐらせた」ときに、ユーザの手の前後から水を除去する役割を果たす、高速空気の２つの対向する薄いシートすなわち「ブレード」を生成する。
【０００４】
乾燥空気がそれぞれの空気ダクト３ａを介してノズル３に送給され、該空気ダクト３ａは、手乾燥器１内部にあるモータ駆動ファン（図示せず）の正圧側に接続されている。空気ダクト３ａは、ノズル３の幅にわたって延びるようにノズル付近で平坦になっている。その結果として、ノズル３の後方から空気が送給されるとノズル３の様々な部分に対して同時に効果的に送給され、空気がノズル３から真っ直ぐに流出する。これは図１に示されている。
【０００５】
空気は、同様の方式でダクト３ａに対応する別個のダクト（図示せず）を介して後方ノズル２に送給される。ノズル２は、ユーザの手の甲に追従して波形に湾曲し、すなわち、この意図的な後方ノズルの物理的成形は、空気流がノズル２を通過するときに空気流の「転回」を促し、その結果、空気がユーザの親指及び人差し指の両方に向けて角度が付けられ、また、ユーザの小指に向けて戻されるようになり、乾燥性能が全体として向上する。これもまた、図１に示されている。
【０００６】
一部の洗面所では、手乾燥器はシンクの手洗器の上方にあり、ユーザが手を移動させる必要もなくシンクにて好都合に乾燥させることができると同時に、手から滴る水をシンクの手洗器に集め、既存の排水管を通じて本管排水システムに排出することができるようになる。このような１つの装置が米国特許第５，１９９，１１８Ａに記載されている。
【先行技術文献】
【特許文献】
【０００７】
【特許文献１】米国特許第５，１９９，１１８Ａ明細書
【発明の概要】
【発明が解決しようとする課題】
【０００８】
本発明の目的は、改善された手乾燥器を提供しようとすることである。
【課題を解決するための手段】
【０００９】
本発明によれば、ユーザの手の各々に対して１つ又はそれ以上の複数の手乾燥器ノズルを備えた手乾燥器が提供され、左手の手乾燥器ノズルが、ユーザの左手が左手ノズルの正面で掌を開いたときにユーザの左手の幅にわたって延びるように配置され、右手の手乾燥器ノズルが、ユーザの右手が右手ノズルの正面で掌を開いたときにユーザの右手の幅にわたって延びるように配置され、左手ノズルが第１の空気供給ダクトの壁に沿って軸方向に延び、右手ノズルが第２の空気供給ダクトの壁に沿って軸方向に延びており、供給ダクトの各々は、ダクトを通して軸方向の空気流を通過させるようモータ駆動ファンと共に使用してユーザのそれぞれの親指付近の端部である入口端部にて連通している。
【００１０】
従って、本発明によれば、空気は、供給ダクトに沿って軸方向に「内側から外側へ」送給される。そのため、供給ダクトの入口端部に向かうノズル出口速度が大きな軸方向成分を有し、これは、ユーザの手の当該区域を有効に乾燥させるために、使用時にユーザの親指及び人差し指への空気流に角度を付ける傾向になる。このユーザの親指及び人差し指への空気流に内在的に角度を付けることは、図１の後方「波形」ノズルなどの物理的に「成形された」ノズルを使用しなければならない追加コストを伴うことなく達成され、同様の効果を得るために、簡単な「直線状の」ノズル構成を代わりに用いることもできる。
【００１１】
ノズル出口速度に対する大きな軸方向成分は、好ましくはユーザの親指から離れて小さくすることができ、ここで、ユーザの手を「正方形に」乾燥させるためには、むしろより直線的なノズル出口速度が好ましいとすることができる。これは、供給ダクトの長さに沿って軸方向速度が減少し、すなわちノズル出口速度を漸次的に「直線化」するように供給ダクトに沿った空気流の軸方向速度を制御することにより対処される。
【００１２】
軸方向速度は、供給ダクトに対して好適な断面プロファイルを用いて制御される。１つの実施形態において、供給ダクトは、ほぼ一定の断面積（製造を容易にするために円筒形であるのが好ましいが、これは必須ではない）を有するように配置される。この場合、供給ダクトを通る軸方向空気流速度は、ノズルを通過する直列空気流の損失に起因してダクトに沿って漸次的に低下し、実際には、ノズルは、「並列」ではなく「直列」に供給される（図１を参照：ここではダクト３ａが実質的にノズル３に対する並行送給ダクトである。）
【００１３】
しかしながら、前述の直線化効果を達成するために、供給ダクトに沿った一定の断面積の使用は必須ではない。代替として、供給ダクトを通る軸方向流れ速度を対応して漸次的に低下させることによってノズル出口速度のこのような直線化を依然として確保するようにして直線化効果を達成する場合には、断面積は変えることができる。
【００１４】
例えば、ダクトは、供給ダクトの長さに沿ってテーパを付けることができる。この種の構成では、ノズルに沿った直列流の損失は、この場合も同様に、供給ダクトを通る軸方向流れ速度を低下させる傾向となる。テーパが逆テーパであり、断面積がダクトの入口端部からの距離に伴って増大するようになる場合、テーパは、供給ダクトに沿った軸方向流れ速度の更なる低下に寄与し、連続性の原理と適合する。
【００１５】
対照的に、順テーパは、同じ原理に従って、供給ダクトを通る軸方向速度を増大させる傾向となる。この場合、上流側ノズル（又は、細長スリットの場合はノズルの上流側部分）を通る直列流れ損失に起因してテーパの上述の効果が流れ速度の低下を完全には相殺しないことが確保されることにより、軸方向速度の漸次的低下は、依然として容易に達成することができる。同様に、供給ダクトに沿った軸方向速度の正味低下が依然として確保される限り、他の断面プロファイルを利用してもよい。
【００１６】
ノズルは、ユーザの手の範囲全体にわたり効果的に乾燥させるために、ユーザの手の幅全体に延びるのが好ましい。
【００１７】
１つの実施形態において、ノズルは各々、例えば、８０ｍｍ〜１７０ｍｍの範囲の幅にわたる。
【００１８】
必須ではないが、ノズルの幅の好ましい範囲は、１３０〜１７０ｍｍ（複数のノズルの場合全体としてノズルの全てにわたって測定されることになる）である。これによりノズルが使用時にユーザの手の大半にわたって効果的に延びるのが確保される傾向となる。正確なノズル幅は、一方では小型の器具設計と、他方では比較的大きな手のユーザに対しての器具の利便性とのトレードオフとなる。従って、好ましい幅は、例えば、国毎に変えるか、又は特定のシンク設計に応じて変えることができる。しかしながら、試験では、ノズルの１５０ｍｍの幅仕様（許容差＋１０ｍｍ）がほとんどの場合においてほぼ良好な妥協点をもたらすことを示した。
【００１９】
供給ダクトの壁は、器具の外部の一部を形成することができ、そのようにするのが好ましい。これにより部品点数及び組み付けコストが低減される傾向となる。
【００２０】
手乾燥器は、ノズルを通して空気を送り込むためのある種の空気流発生器を組み込むことになる。詳細には、手乾燥器は、５０ｍ／ｓと２５０ｍ／ｓの範囲、好ましくは１００ｍ／ｓを上回る出口速度でノズルを通して空気流を送り込むよう構成されたモータ駆動ファンを備えることができる。
【００２１】
手乾燥器は、ユーザの手を洗浄するために給水栓を付加的に組み込んだシンク用の「２つの目的を兼ねた」器具の一部を形成することができる。この種の装置により、シンクにおいて手の洗浄と乾燥の両方を実施することが可能となる。
【００２２】
給水栓は、一般に、シンクの手洗器の上に突出するよう配置された注水口を組み込むことができ、手乾燥器は、ユーザの手の各々に対して少なくとも１つずつ２つの手乾燥器ノズルを組み込むことができ、左手ノズルが注水口の左手側にあり、右手ノズルが注水口の右手側にあり、該注水口は２つのノズル間の分割パーティションとしての役割を果たすようになる。
【００２３】
この構成において、本器具の構成はまた、注水口自体が「２つの機能」を兼ねており、すなわち、洗浄用の水を送水し、次に、左手を乾燥させるための左手ノズル及び右手を同時に乾燥させるための右手ノズルの正確な使用を促進させるため、手乾燥器ノズル間のパーティションとして有効に機能させることを意味する。
【００２４】
この関連において、「左手側」／「右手側」とは、使用時に器具に面してユーザがシンクの正面に立っているときのユーザの左／右にある側である。同様に、「左手ノズル」／「右手ノズル」は、ユーザの左／右手を乾燥させるのに用いることを公称的に意図したノズルである。
【００２５】
器具は、（ｉ）注水口の左側に配置されて、左手ノズルの間で掌が開いた状態でユーザの左手を通したときに左手の前後に空気を配向するようにした左手ノズルの対向するペアと、（ｉｉ）注水口の右手側に配置されて、ノズルの間で掌が開いた状態でユーザの右手を通したときに右手の前後に空気を配向するようにした右手ノズルの対向するペアと、を備えることができる。
【００２６】
従って、ノズルは、有利な「両面式」手乾燥動作を提供する。例えば、シンクの対向する壁ではなく器具上に対向するノズルを位置付けることにより、対向するノズル間の分離を最適にすることができる。
【００２７】
これは、空気流のノズルからの流出後に続く拡散により空気速度がおよそ数ｃｍの距離にわたって顕著に低下させることができるので、高速手乾燥器（出口空気速度＞１００ｍ／ｓ）において特に有利であり、よって、対向するノズル間の分離を最適化する機能は、良好な乾燥性能を達成する上で極めて重要である。
【００２８】
左手及び右手ノズルは、注水口から離れて横方向に延びる器具のそれぞれの部分に沿って好都合に位置付けることができる。それと同時に、上記の左手及び右手ノズルの対向するペアは、注水口から離れて横方向に各々延びる器具のそれぞれの対向する部分に沿って好都合に位置付けることができる。ノズルを注水口の壁上に直接ではなく、器具の横方向に延びる部分上に位置付けることにより、ノズルをユーザにとってより自然な幅で配置することが可能となる。器具の横方向に延びる部分は、注水口に対して垂直に延びる必要はない。
【００２９】
器具のそれぞれの部分（又は対向するペア）に沿って延びる複数の左手ノズル（又は左手ノズルの対向するペア）を提供することができる。同様に、器具のそれぞれの部分（又は対向するペア）に沿って延びる複数の右手ノズル（又は右手ノズルの対向するペア）を提供することができる。ノズルは、器具のそれぞれの部分上で１つ又はそれ以上の列で配置することができる。
【００３０】
器具のそれぞれの部分に沿って横方向に延びる複数のノズルを利用すると、乾燥ジェットの有効幅が増大する。ノズルが細長である場合、より少ないノズル、場合によっては１つのノズルを用いて同様の効果を得ることができる。
【００３１】
器具の横方向に延びる部分は各々、供給ダクトを備えることができる。
【００３２】
ノズルは、注水口を通って延びる空気ダクトにより配向することができる。注水口を利用してノズルに空気ダクトを配向することにより、小型の器具設計が得られる。この場合、前述の供給ダクトは、注水口を通って延びる空気ダクトを介してモータ駆動ファンと連通し、詳細な簡易的構成では、供給ダクトは、事実上、該供給ダクト及び主空気ダクトが共に一体部品を形成するように、注水口を通って延びる空気ダクトの横方向に延びる分岐部の形態とすることができる。
【００３３】
器具及び注水口の横方向に延びる部分は全て、実質的に共通平面内にある。これは、ユーザの手の洗浄の際に器具との干渉を最小限にする助けとなる。
【００３４】
シンクと組み合わせた器具を備える構成において、器具は、好ましくは０〜１５度の角度でシンクの手洗器の上に下向きに突出するよう配置された注水口を備えたシンクに取り付けることができる。これにより、ノズルの正面（又は、場合によっては、対向するノズル間で）で掌を開いた状態で手を「くぐらせる」のが特に快適になる。
【００３５】
ノズルは、器具のそれぞれの部分に沿って延びた幅１ｍｍ未満の細長スリットの形態とすることができる。
【００３６】
ここで、添付図面を参照しながら本発明の実施形態を例証として説明する。
【図面の簡単な説明】
【００３７】
【図１】従来の手乾燥器の斜視図である。
【図２】シンクに装着された器具を含む装置の斜視図である。
【図３】図２の装置の正面図である。
【図４】図３のＡ−Ａに沿った断面である。
【図５】図４のＣ−Ｃに沿った断面である。
【図６】図２から５に示す器具の部分の部分拡大斜視図である。
【図７】使用中の器具を例示する、図２から６に示す器具の正面図である。
【図８】器具の一部を形成する供給ダクトの１つについてのノズル出口速度プロファイルを追加的に示す、図６に対応する平面図である。
【図９】代替のテーパ付き供給ダクトの概略図である。
【図１０】シンクに装着された器具を含む代替装置の斜視図である。
【図１１】ｓｉｎｋの上に壁掛けされた器具を備える代替の装置
【図１２】器具の一部を形成する注水口の外側に沿った空気の配管を示す、代替装置の斜視図である。
【図１３】本発明による代替の手乾燥器の概略斜視図である。
【発明を実施するための形態】
【００３８】
図２〜５は、従来のシンク１及び器具２を備えた装置の種々の図を示している。シンク１は、ベルファストスタイルのシンクの場合であるが、一般にシンクは、従来のあらゆるタイプであってもよい。
【００３９】
器具２は、シンク１の真下でロックナット４を用いてシンク１に取り付けられ、該ロックナットは、外側にネジ山が付けられた中空の固定スタッド６と係合して器具２を所定位置にクランプする（器具２は、代替として、シンクのスタイルに応じてシンク自体ではなくシンクに隣接して取り付けてもよい）。
【００４０】
器具２は、シンク１の手洗器に隣接して着座する本体８と、本体８からシンク１の手洗器の上に突出する注水口１０とを有する給水栓を備える。
【００４１】
要求に応じて、洗浄のための水は、給水管１２を介して主供給ラインから供給され、該給水管１２は、注水口１０の前方端部に設けられた下方に面する出口１０ａまで本体８及び注水口１０内部を延びる。
【００４２】
給水栓は、従来のセンサ及び制御ループを使用して、洗浄位置にあるユーザの手の検出に応答して供給ラインにおいて停止バルブを自動的に開放する「ハンドフリー」操作を可能にするよう構成される。或いは、給水栓は、手動操作を可能にするよう構成してもよい。
【００４３】
器具２はまた、手乾燥器を組み込み、本体８及び注水口１０の内部を空気ダクト１１として利用し、器具２上に設けられる複数の手乾燥器ノズルを与える。
【００４４】
手乾燥器ノズルは、ユーザの左手を乾燥させるのに用いることを目的とした複数の左手乾燥ノズル１４と、ユーザの右手を乾燥させるのに用いることを目的とした複数の右手乾燥ノズル１６の２つのグループで構成される。ノズル１４、１６は、明確にする目的で図２から省略されているが、図６に示されている。
【００４５】
左手ノズル１４は、注水口１０の左手側に設けられる。右手ノズル１６は、注水口１０の右手側に設けられる。
【００４６】
左手ノズル１４は、それぞれ横方向に延びる（この場合は垂直方向に延びる）供給ダクト１１ａ、１１ｂに沿って対向するペアで配列され、該供給ダクトは、空気ダクト１１の一体的分岐を本質的に形成する。同様に、右手ノズル１６は、それぞれ横方向に延びる（この場合は垂直方向に延びる）供給ダクト１１ｃ、１１ｄに沿って対向するペアで配列され、該供給ダクトは、空気ダクト１１の分岐を同様に形成する。
【００４７】
ノズル１４、１６は、各それぞれの供給ダクト１１ａ〜ｄに沿って２列で配列される。
【００４８】
図６は、それぞれの供給ダクト１１ｃ上のノズル１６の特定のパターンを示しており、一方の列２６のノズルが隣接する列２８のノズルに対して横方向にオフセットした状態にある。空気ダクトの対向する分岐１１ｂ上のノズル１６は、図６の破線で示される、反対の意味で横方向にオフセットされ、対向するノズルのペアが互いに正反対に位置付けられるようになる。これは、ノズル１６から出る対向する空気ジェット間の衝突を阻止することにより使用中のノイズを低減するのを助ける。左手ノズル１４は、空気ダクト１１のそれぞれの分岐１１ａ、１１ｂ上に同様にして配列される。
【００４９】
空気ダクト１１は、可撓性ホース３２を介してモータ駆動ファンユニット３０の正圧（出力）側に接続され、該ホースは、中空の固定スタッド６を介して本体８の内部に流体接続されている（水供給管１２が空気供給ライン内で固定スタッド６を通って効果的に延びる場合、水供給ラインに接続するために管１２を空気供給ラインの外部に通すことができるようにすることが必要となる）。要求に応じて、空気をファン３０によって空気ダクト１１に送り込み、ノズル１４、１６の各々を通って排出させるようにする。
【００５０】
手乾燥器は、従来のセンサ及び制御ループを用いて「ハンドフリー」作動を可能にするよう構成され、これは、ユーザの手が乾燥位置（自動的に給水栓を始動させる上述の洗浄位置と見分けられる必要がある）にあることの検出に応答してファンユニット３０を自動的に切り替える。或いは、手乾燥器は、手動操作を可能にするよう構成してもよい。
【００５１】
使用中、ユーザは、シンク１にて洗浄及び手乾燥操作の両方を行うことができる。
【００５２】
洗浄操作を開始するために、ユーザは、自分の手を洗浄するかのように出口１０ａの真下に手を置き、センサ及び制御ループが出口１０ａを通って水を送給するよう作動させる。次いで、ユーザは、シンク１の手洗器の上に従来の方式で手を洗浄する段階に進むことができる。
【００５３】
手乾燥操作を開始するために、ユーザは、注水口１０の左手側のノズル１４の対向するペア間に濡れた左の掌を開いた状態でくぐらせ、同時に、注水口１０の右手側のノズル１６の対向するペア間に濡れた右の掌を開いた状態でくぐらせる。次いで、センサ及び制御ループが作動してファン３０を始動し、高圧下で対向するノズル１４、１６を通って空気を送り込み、すなわち、ユーザの手の前後にそれぞれ高運動量の空気流を配向する。次に、ユーザの手を乾燥させるために、ユーザは、掌を開いた状態で保持してスロット間をほぼ「垂直方向に」１又はそれ以上の回数を通し、高運動量の空気流がユーザの手の表面から水を除去する。左手３４及び右手３６の一般的なくぐらせ動作が図７に示されており（ここでは正面から注水口１０に沿って軸方向に見ている）、図７はまた、注水口１０が、手３４、３６の間の中央分割パーティションとして機能し、正しい使用を促進させていることを示している。
【００５４】
横方向分岐ダクト１１ａ〜ｄは、注水口１０とほぼ同じ平面内にあり、該注水口１０は、５〜１５度の範囲で、好ましくは１０度の角度θ（図４）でユーザに向かって下向きに延びている。従って、ユーザが対向するノズル間で垂直方向に手をくぐらせるのではなく、手の進入角がユーザに向かって傾斜し、くぐらせ動作がより快適になる。
【００５５】
手から運ばれた廃水は、従来ではシンク１の手洗器に集められ、ここでシンク１用の従来の配管システムを通じて本管に排出することができる。
【００５６】
ここでは上方から器具２を下方に見ている図８は、供給ダクト１１ｃに沿ったノズル出口速度プロファイルを示している（また、残りの供給ダクト１１ａ、１１ｂ、１１ｄの出口速度プロファイルを示している）。
【００５７】
出口速度プロファイルは、軸方向ダクト速度Ｖ１が高いことに起因して、供給ダクト１の入口端部１２付近のノズル出口速度Ｕ１に対する大きな軸方向成分によって特徴付けられる。これは、手のこの区域の乾燥を効果的にする親指及び人差し指への空気流に角度を付けるのを助ける。
【００５８】
分岐ダクト１１ｃの入口端部から離れた場所では、上流側ノズルを通る直列流れ損失とダクト１１ｃの均一な断面積との組み合わせに起因して、軸方向ダクト速度の漸次的な低下がある。その結果として、分岐ダクトの長さに沿ったノズル出口速度の漸次的な直線化がある（中間ノズル出口速度は、図８に概略的にのみ示されている）。よって、例えば、分岐ダクト１１ｃの最終端部付近では、軸方向ダクト速度Ｖ２は比較的小さく、出口速度Ｕ２は比較的直線的である。
【００５９】
バンクダクト１１ａ〜ｄの長さに沿った出口速度の漸次的直線化は、親指及び人差し指から離れたより中立的な「正方形」乾燥特性を維持するのを助ける。
【００６０】
均一な断面積を有する供給ダクトの使用は、図８に示す直線効果を提供するのに必須ではないが、製造を容易にするために円筒形の供給ダクトを使用することが好ましい場合がある。例えば、図９は、テーパ付きダクト１１ｅの使用を示している。ここではテーパは、実際にはノズル１６を通る直列流れ損失によって引き起こされる軸方向速度の低下を相殺し、よって直線化作用は顕著ではないが、それでも尚、ダクトに沿った軸方向速度の正味低下が未だ存在するほどテーパ角が十分に浅い角度であるのを確保することによって、直線化作用が達成され、換言すると、軸方向速度Ｖ２を求める際には、ノズル１６を通る直列流れ損失が依然として主要要因のままである。
【００６１】
対向するノズルペアの使用は必須ではない。図１０は、器具２００が注水口１００の左手側に１列の左手ノズル１４０と、注水口１００の右手側に一列の右手ノズル１６０とを有する、片面式装置を示している。ノズル１４０、１６０は、この場合は単一の列の円形ノズルであり、それぞれ横方向に延びる分岐ダクト１１０ａ及び１１０ｂに沿って配列され、ノズル１４０、１６０の各セットに１つ設けられる。
【００６２】
注水口１００は、分岐ダクト１１０ａ及び１１０ｂの前方に突出し、左手ノズル１４０と右手ノズル１６０との間の中央分割パーティションとして機能するようにする。横方向分岐ダクトは、この場合も同様に、注水口１００と同じ平面内に配列され、該注水口１０は、同様に、使用時にユーザが快適であるように角度１０度でユーザに向けて下向きに角度が付けられる。
【００６３】
基本的な乾燥動作は、図２の両面式装置と同様であり、ユーザは、左手ノズル１４０の正面でユーザの左の掌を開いた状態でくぐらせ、同時に、右手ノズル１６０の正面でユーザの右の掌を開いた状態でくぐらせる。しかしながら、ノズル１４０、１６０は、ユーザの手の片側にのみ空気を配向するので、ユーザの手を反転させて手の反対側について同じプロセスを繰り返す必要がある。
【００６４】
図１１は、壁掛け式装置を示し、器具２０００がシンク１の後方の壁に装着されている。器具２０００は、左手ノズル１４００の対向するペア（すなわち、この場合、使用時にユーザの手の幅にわたる細長いスリットのペア）と、右手ノズル１６００の対向するペア（同様に細長いスリットのペアの形態をとる）とにより「両側式」乾燥を提供するよう構成されている。
【００６５】
左手ノズル１４００は、注水口１０００の左手側に設けられ、右手ノズル１６００は、注水口１０００の右手側に設けられている。従って、注水口１０００は、ノズル１４００、１６００巻の中央分割パーティションとしての役割を果たす。
【００６６】
器具２０００は、従来の壁固定具を用いて壁に固定することができる。
【００６７】
ノズル用の主空気供給ダクトは、注水口を通って延びる必要はなく、例えば、図２の構成では、注水口１０と横並びの関係で延びる別個の空気ダクトが代わりに設けられている。これは、図１２に示されている（１つの空気ダクト１１ｆのみが見える）。注水口１０は、それでも尚、左手ノズルと右手ノズルとの間の分割パーティションとしての役割を果たす。
【００６８】
手乾燥器は、シンク用の２つの目的を兼ねた器具の一部を形成する必要はない。図１３は、図１に示す手乾燥器１に対する外観と同様の専用手乾燥器１’を示し、ここでは茎が４つの横方向供給ダクト１１ａ’、１１ｂ’、１１ｃ’、及び１１ｄ’に沿って「内側から外側へ」送給される。２つの後方スリット状ノズル２’が設けられ、１つが２つの供給ダクト１１ａ’、１１ｂ’の各々に沿って軸方向に延びている。同様に、２つの前方スリット状ノズルが設けられ（図１３では見えない）、同様に供給ダクト１１ｃ’、１１ｄ’に沿って軸方向に延びている。後方ノズル及び前方ノズルは両方とも直線状である。
【００６９】
空気流は、手乾燥器１’の内側でモータ駆動ファン（図示せず）を介して生成される。空気流は、使用時にユーザの親指及び人差し指に最も近い端部である、供給ダクト１１ａ’、１１ｂ’、１１ｃ’、及び１１ｄ’の入口端部に流入し、ここから横方向外向きに流れ、直列になったそれぞれスリット状ノズルの連続する部分に効果的に送給される。その結果、出口速度プロファイルは、図８に示すプロファイルと同様である。供給ダクト１１ａ’の入口端部のより近くでは、例えば、軸方向ダクト速度Ｖ１は高速であり、結果として生じる出口速度Ｕ１は、ユーザの親指及び人差し指への空気流を角度付けする助けとなる大きな軸方向成分を有する。供給ダクト１１ａ’の入口端部から離れると、ノズル２’を通る直列流れ損失に起因して軸方向ダクト速度Ｖ２が低下し、そのため、結果として生じる出口速度Ｕ２が「より直線」になる。
【符号の説明】
【００７０】
２’  後方スリット状ノズル
１１ａ’、１１ｂ’、１１ｃ’、１１ｄ’  供給ダクト
【図１】
2012239920.tif 000003
【図２】
2012239920.tif 000004
【図３】
2012239920.tif 000005
【図４】
2012239920.tif 000006
【図５】
2012239920.tif 000007
【図６】
2012239920.tif 000008
【図７】
2012239920.tif 000009
【図８】
2012239920.tif 000010
【図９】
2012239920.tif 000011
【図１０】
2012239920.tif 000012
【図１１】
2012239920.tif 000013
【図１２】
2012239920.tif 000014
【図１３】
2012239920.tif 000015
【外国語明細書】
2012239920.tif 000016
2012239920.tif 000017
2012239920.tif 000018
2012239920.tif 000019
2012239920.tif 000020
2012239920.tif 000021
2012239920.tif 000022
2012239920.tif 000023
2012239920.tif 000024
2012239920.tif 000025
2012239920.tif 000026
2012239920.tif 000027
2012239920.tif 000028
2012239920.tif 000029
2012239920.tif 000030
2012239920.tif 000031
2012239920.tif 000032
2012239920.tif 000033
2012239920.tif 000034
2012239920.tif 000035
2012239920.tif 000036
2012239920.tif 000037
2012239920.tif 000038
2012239920.tif 000039
2012239920.tif 000040
2012239920.tif 000041